(57)【要約】【課題】再生等の処理対象とするコンテンツを、容易に分類する。【解決手段】例えば、曲等のコンテンツを表すシンボルとなるシンボル画像としての、例えば、カバーアート（の縮小画像）を、２次元平面上に配置した画面が表示されるとともに、２次元平面の所定の一軸と直交する方向としての、例えば、x方向を幅方向とする帯状の領域であるカーペット領域が表示される。シンボル画像がカーペット領域に含まれるコンテンツは、所定の処理の処理対象とされる。本技術は、例えば、曲等のコンテンツから、プレイリストに登録する曲を分類する場合等に適用できる。【選択図】図９
2012226617.tif 000002
【特許請求の範囲】
【請求項１】
コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御部を備え、
前記シンボル画像が前記カーペット領域に含まれるコンテンツは、所定の処理の処理対象とされる
情報処理装置。
【請求項２】
前記表示制御部は、
前記コンテンツを、第１のソートキーに従ってソートするとともに、第２のソートキーに従ってソートし、
前記コンテンツの、前記第１のソートキーによるソートのソート順位と、前記第２のソートキーによるソートのソート順位との組み合わせに対応する前記２次元平面上の位置に、前記コンテンツのシンボル画像を配置する
請求項１に記載の情報処理装置。
【請求項３】
前記シンボル画像が前記カーペット領域に含まれるコンテンツは、前記シンボル画像が前記所定の一軸の方向に並ぶ順に、再生対象とされる
請求項２に記載の情報処理装置。
【請求項４】
前記シンボル画像が前記カーペット領域に含まれるコンテンツを、再生対象として選択する制御部をさらに備える
請求項３に記載の情報処理装置。
【請求項５】
前記表示制御部は、前記カーペット領域に対する操作であるカーペット操作に従って、前記カーペット領域の幅、又は、前記所定の一軸と直交する方向の位置を変更する
請求項３に記載の情報処理装置。
【請求項６】
前記表示制御部は、前記シンボル画像を移動させる操作であるシンボル画像操作に従って、前記シンボル画像を移動させる
請求項３に記載の情報処理装置。
【請求項７】
前記表示制御部は、前記シンボル画像、及び、前記カーペット領域を、タッチスクリーンに表示する
請求項３に記載の情報処理装置。
【請求項８】
コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御ステップを含み、
前記シンボル画像が前記カーペット領域に含まれるコンテンツは、所定の処理の処理対象とされる
情報処理方法。
【請求項９】
コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御部を備え、
前記シンボル画像が前記カーペット領域に含まれるコンテンツは、所定の処理の処理対象とされる
情報処理装置として、コンピュータを機能させるためのプログラム。
【発明の詳細な説明】
【技術分野】
【０００１】
本技術は、情報処理装置、情報処理方法、及び、プログラムに関し、例えば、再生等の処理対象とするコンテンツを、容易に分類することができるようにする情報処理装置、情報処理方法、及び、プログラムに関する。
【背景技術】
【０００２】
近年、メモリやハードディスク等の記録媒体の小型化、及び、大容量化に伴い、曲等のコンテンツの再生が可能な携帯端末等の情報端末に、多数の曲（コンテンツ）を記憶させておくことができるようになっている。
【０００３】
ところで、ユーザが聴きたい曲は、そのときの気分や時間帯等によって異なることがある。
【０００４】
この場合、ユーザは、曲（シングルの曲と、アルバムの曲を含む）を登録したプレイリストを、曲調やジャンル（ロックやジャズ等）等ごとに分類して作成しておけば、そのときの気分等にマッチした（曲が登録された）プレイリストを選択することで、所望の曲を聴くことができる。
【０００５】
しかしながら、ユーザが、情報端末に登録された多数の曲の中から、所望の曲を探し出して、プレイリストに登録することを、手作業で行うのは、面倒である。
【０００６】
そこで、曲を管理するアプリケーションとして、例えば、曲調等に応じて、曲を選択し、チャンネルと呼ばれるグループに分類するチャンネルタイプのアプリケーションがある。
【０００７】
チャンネルタイプのアプリケーションでは、各チャンネルを表すアイコンが表示され、ユーザが、所望のチャンネルのアイコンを選択すると、そのチャンネルに分類された曲が再生される。
【０００８】
また、変化に富んだコンテンツ推薦を行うために、ユーザが選択したメタデータに応じて、曲を推薦する情報処理装置が提案されている（例えば、特許文献１を参照）。
【先行技術文献】
【特許文献】
【０００９】
【特許文献１】特開2008-165759号公報
【発明の概要】
【発明が解決しようとする課題】
【００１０】
チャンネルタイプのアプリケーションでは、ユーザが、あるチャンネルに分類される曲の条件を、直接的に与えることが困難であった。
【００１１】
このため、ユーザが、あるチャンネルに所望の曲が分類されていると想像して、そのチャンネルのアイコンを選択しても、所望の曲が、そのチャンネルに分類されておらず、再生されないことがある。
【００１２】
本技術は、このような状況に鑑みてなされたものであり、再生等の処理対象とするコンテンツを、容易に分類することができるようにするものである。
【課題を解決するための手段】
【００１３】
本技術の一側面の情報処理装置、又は、プログラムは、コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御部を備え、前記シンボル画像が前記カーペット領域に含まれるコンテンツは、所定の処理の処理対象とされる情報処理装置、又は、情報処理装置として、コンピュータを機能させるためのプログラムである。
【００１４】
本技術の一側面の情報処理方法は、コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御ステップを含み、前記シンボル画像が前記カーペット領域に含まれるコンテンツは、所定の処理の処理対象とされる情報処理方法である。
【００１５】
本技術の一側面においては、コンテンツを表すシンボルとなるシンボル画像を、２次元平面上に配置した画面が表示されるとともに、前記２次元平面の所定の一軸と直交する方向を幅方向とする帯状の領域であるカーペット領域が表示される。前記シンボル画像が前記カーペット領域に含まれるコンテンツは、所定の処理の処理対象とされる。
【００１６】
なお、情報処理装置は、独立した装置であっても良いし、１つの装置を構成している内部ブロックであっても良い。
【００１７】
また、プログラムは、伝送媒体を介して伝送することにより、又は、記録媒体に記録して、提供することができる。
【発明の効果】
【００１８】
本技術の一側面によれば、再生等の処理対象とするコンテンツを、容易に分類することができる。
【図面の簡単な説明】
【００１９】
【図１】本技術の情報処理装置を適用したタブレット端末の一実施の形態の外観構成例を示す斜視図である。
【図２】本技術の情報処理装置を適用したタブレット端末の一実施の形態の他の外観構成例を示す斜視図である。
【図３】本技術の情報処理装置を適用したタブレット端末の一実施の形態のハードウェアの構成例を示すブロック図である。
【図４】管理アプリケーションによるタッチスクリーン１０１の画面の表示例を示す図である。
【図５】管理アプリケーションによるタッチスクリーン１０１の画面の表示例を示す図である。
【図６】管理アプリケーションによるタッチスクリーン１０１の画面の表示例を示す図である。
【図７】管理アプリケーションによるタッチスクリーン１０１の画面の表示例を示す図である。
【図８】コンテンツ管理装置の機能的な構成例を示すブロック図である。
【図９】簡易モードのカバーアートビューのペイン２１１の表示例を示す図である。
【図１０】簡易モードの処理を説明するフローチャートである。
【発明を実施するための形態】
【００２０】
［本技術を適用したタブレット端末の一実施の形態］
【００２１】
図１は、本技術の情報処理装置を適用したタブレット端末の一実施の形態の外観構成例を示す斜視図である。
【００２２】
図１において、タブレット端末は、略長方形状になっており、長方形状の一面に、タッチスクリーン１０１が設けられている。
【００２３】
なお、図１において、タブレット端末は、厚みにテーパーがかけられており、図中、手前側の厚みが薄く、かつ、奥側の厚みが厚くなっている。
【００２４】
したがって、図１のタブレット端末は、厚みが薄い方を手前にして、テーブル等の平らなところに置いたときに、テーブルに対して、タッチスクリーン１０１が、手前側に傾いた状態となり、タッチスクリーン１０１の表示が見やすくなるように構成されている。
【００２５】
タッチスクリーン１０１には、各種の画像が表示される。また、タッチスクリーン１０１には、指等を近接、又は、接触（タッチ）することによって、各種の（操作）入力を与えることができる。
【００２６】
図２は、本技術の情報処理装置を適用したタブレット端末の一実施の形態の他の外観構成例を示す斜視図である。
【００２７】
図２では、タブレット端末は、略長方形状の一面にアーチ状の膨らみをもたせた２つの筐体から構成されており、その２つの筐体が、長方形状の長手方向の一辺を中心に開閉可能なように接続されている。
【００２８】
図２Ａは、２つの筐体が閉じた状態のタブレット端末を示しており、図２Ｂは、２つの筐体が開いた状態のタブレット端末を示している。
【００２９】
図２のタブレット端末においては、図２Ｂに示すように、２つの筐体の、アーチ状の膨らみを有する面と反対側の平面それぞれに、タッチスクリーン１０１が設けられている。したがって、図２のタブレット端末には、２つのタッチスクリーン１０１（２画面のタッチスクリーン）が設けられている。
【００３０】
２つの筐体が、図２Ａに示すように閉じられると、２つの筐体の、タッチスクリーン１０１が設けられている面どうしが、対向した状態となる。
【００３１】
図３は、本技術の情報処理装置を適用したタブレット端末の一実施の形態のハードウェアの構成例を示すブロック図である。
【００３２】
図３において、タブレット端末は、タッチスクリーン１０１、CPU(Central Processing Unit)１０２、ROM(Read Only Memory)１０３、RAM(Random Access Memory)１０４、ハードディスク１０５、出力部１０６、入力部１０７、通信部１０８、ドライブ１０９、入出力インタフェース１１０、及び、リムーバブル記録媒体１１１を有する。
【００３３】
なお、CPU１０２ないしハードディスク１０５、及び、入出力インタフェース１１０は、バスを介して接続されている。CPU１０２ないしハードディスク１０５、及び、入出力インタフェース１１０（に接続されているデバイス）は、バスを介して、相互にデータをやりとりすることができる。
【００３４】
また、図３では、入出力インタフェース１１０には、タッチスクリーン１０１、及び、出力１０６ないしドライブ１０９が接続されている。
【００３５】
タッチスクリーン１０１は、表示部１０１Ａと、位置検出部１０１Ｂとを有し、図１で説明したように、各種の表示と、指等を近接、又は、接触（タッチ）することによる操作入力とが可能になっている。
【００３６】
すなわち、表示部１０１Ａは、画像を表示する、液晶パネル等のデバイス（表示装置）で構成され、入出力インタフェース１１０を介して供給されるデータに応じて、画像を表示する。
【００３７】
位置検出部１０１Ｂは、例えば、静電式等のタッチパネルや、光を照射する光源と、その光の、物体からの反射光を受光するセンサとのセット等の、外部からの入力（近接・接触）を受け付ける（検知する）機能を有するデバイスで構成される。
【００３８】
位置検出部１０１Ｂは、外部からの物体、すなわち、例えば、ユーザの指や、ユーザが扱うタッチペン等が近接し、又は、接触（タッチ）すると、その近接、又は、接触がされている位置を表す位置信号を（入出力インタフェース１１０に）出力する。
【００３９】
タッチスクリーン１０１は、以上のような表示部１０１Ａと位置検出部１０１Ｂとが一体的になっており、表示部１０１Ｂにおいて画像を表示し、位置検出部１０１Ｂにおいて、表示部１０１Ｂに表示された画像に対する外部からの操作入力（タッチや近接）を受け付けることができる。
【００４０】
位置検出部１０１Ｂが出力する位置信号は、入出力インタフェース１１０を介して、CPU１０２に供給され、CPU１０２では、位置検出部１０１Ｂからの位置信号に基づき、どのような操作入力があったかが認識され、その操作入力に応じて、各種の処理が行われる。
【００４１】
なお、タッチスクリーン１０１（の位置検出部１０１Ｂ）は、例えば、２本等の複数の指でのタッチを検出することができるようになっており、これにより、ユーザは、マルチタッチ操作を行うことができる。
【００４２】
マルチタッチ操作としては、例えば、２本の指を、タッチスクリーン１０１にタッチさせ、そのタッチを維持したまま、２本の指の間隔を広げるピンチアウト操作や、２本の指の間隔を狭めるピンチイン操作等がある。
【００４３】
ピンチ操作（ピンチアウト操作、ピンチイン操作）は、画像を拡大、又は、縮小させるときや、領域を拡げる、又は、狭めるとき等に行われる。
【００４４】
CPU１０２は、ROM１０３に記憶されたプログラムや、ハードディスク１０５等から読み出されて、RAM１０４に記憶（展開）されたプログラムを実行することにより、各種の処理を行う。
【００４５】
ROM１０３は、例えば、EEPROM(Electrically Erasable Programmable ROM)等であり、タブレット端末の電源がオフにされたときも保持する必要があるデータやプログラムを記憶する。
【００４６】
RAM１０４は、CPU１０２の動作上必要なプログラムやデータを記憶する。
【００４７】
ハードディスク１０５には、CPU１０２が実行するプログラムや、曲（シングルの曲と、アルバムの曲を含む）等のコンテンツのデータ、コンテンツのメタデータ、その他のデータ（プログラムを含む）が記録される。
【００４８】
出力部１０６は、例えば、スピーカや、イヤフォン端子等であり、音声（データ）を出力する。
【００４９】
入力部１０７や、例えば、マイクやマイク端子と、音声認識装置等であり、外部からの音声（データ）の入力を受け付ける。
【００５０】
通信部１０８は、例えば、LAN(Local Area Network)等の通信インタフェースであり、外部の装置との、無線や有線での通信を制御する。
【００５１】
ドライブ１０９には、DVD(Digital Versatile Disc)等の光ディスクや、USBメモリ等の半導体メモリであるリムーバブル記録媒体１１１の着脱が可能になっている。
【００５２】
ドライブ１０９は、そこに装着されたリムーバブル記録媒体１１１を駆動することにより、リムーバブル記録媒体１１１にデータを記録し、また、リムーバブル記録媒体１１１からデータを読み出す。
【００５３】
入出力インタフェース１１０は、各種のデバイスを、タブレット端末に接続するためのインタフェースとして機能する。図３では、上述したように、入出力インタフェース１１０には、タッチスクリーン１０１、出力部１０６ないしドライブ１０９が接続されているが、入出力インタフェース１１０には、その他のデバイスを接続することが可能である。
【００５４】
以上のように構成されるタブレット端末において、ハードディスク１０５には、コンテンツとしての曲（のデータ）とメタデータがダウンロードされている。また、ハードディスク１０５には、曲を管理する管理アプリケーション（のプログラム）がインストールされている。
【００５５】
CPU１０２は、ハードディスク１０５にインストールされている管理アプリケーションを実行することにより、各種の処理を行う。
【００５６】
なお、管理アプリケーションは、ハードディスク１０５にあらかじめインストールしておくことができる。
【００５７】
また、管理アプリケーションは、リムーバブル記録媒体１１１に格納（記録）しておき、リムーバブル記録媒体１１１からタブレット端末にインストールすることができる。このようなリムーバブル記録媒体１１１は、いわゆるパッケージソフトウエアとして提供することができる。
【００５８】
なお、管理アプリケーションは、リムーバブル記録媒体１１１からタブレット端末にインストールする他、通信網や放送網を介して、タブレット端末にダウンロードし、内蔵するハードディスク１０５にインストールすることができる。すなわち、管理アプリケーションは、例えば、ダウンロードサイトから、ディジタル衛星放送用の人工衛星を介して、タブレット端末に無線で転送することや、LAN、インターネットといったネットワークを介して、タブレット端末に有線で転送することができる。
【００５９】
曲のデータ（及びメタデータ）も、管理アプリケーションと同様にして、リムーバブル記録媒体１１１やダウンロードサイト等から、ハードディスク１０５にダウンロードすることができる。
【００６０】
［管理アプリケーションによる画面の表示例］
【００６１】
図４、図５、図６、及び、図７は、管理アプリケーション（を実行するCPU１０２）によるタッチスクリーン１０１（の表示部１０１Ａ）の画面の表示例を示す図である。
【００６２】
図４は、管理アプリケーションが起動されたときの画面である初期画面の表示例を示す図である。
【００６３】
管理アプリケーションが起動されると、ウインドウ２０１が表示される。
【００６４】
図４において、ウインドウ２０１は、３つのペイン２１１，２１２、及び、２１３を有する。
【００６５】
そして、図４では、ペイン２１１は、ウインドウ２０１の下側の３／４程度の領域であり、ペイン２１２は、ウインドウ２０１の上側の１／４程度の領域である。また、ペイン２１３は、ウインドウ２０１の左端の一部の領域であり、ペイン２１１と重複している。
【００６６】
初期画面において、ペイン２１１では、ハードディスク１０５に（曲が）記録されているアルバムとしてのCD(Compact Disc)が、無造作に、テーブルにばらまかれたような、アルバムを表すシンボルとなるシンボル画像としての、CDのカバーアート（ジャケット）（の縮小画像）を、バラバラに、２次元平面上に配置した画面が表示される。
【００６７】
ハードディスク１０５に記録されているアルバムのカバーアートのすべてを、ペイン２１１に表示しきれない場合には、ペイン２１１は、指で軽くはらう操作であるフリック操作をすることで、縦方向であるy方向のスクロール（縦スクロール）することが可能なように表示される。ペイン２１１がスクロールされることで、スクロール前に表示されていなかったカバーアートが、ペイン２１１に表示される。
【００６８】
ここで、初期画面では、カバーアートは、横幅がペイン２１１の横幅に等しい仮想的な２次元平面（以下、仮想平面ともいう）上に配置される。
【００６９】
そして、ペイン２１１では、仮想平面の、ペイン２１１と同一サイズの領域が、表示領域として、ペイン２１１に表示される。ペイン２１１（の表示）のスクロールは、表示領域が、仮想平面の縦方向であるy方向に移動されることによって実現することができる。
【００７０】
なお、ペイン２１１では、カバーアートのサイズを小さくすることにより、ハードディスク１０５に記録されているアルバムのカバーアートのすべてを、スクロールなしで表示することが可能である。但し、この場合、カバーアートが見にくくなり、また、カバーアートに対する操作もしにくくなる。
【００７１】
したがって、ハードディスク１０５に記録されているアルバムの数が多い場合に、カバーアートを、ある程度大きな見やすいサイズで表示することができるように、ペイン２１１は、スクロールが可能なように表示することが望ましい。
【００７２】
ペイン２１１に表示されたカバーアートに対しては、指で１回だけ軽く叩く操作であるタップ操作や、２回だけ軽く叩く操作であるダブルタップ操作が可能であり、管理アプリケーションでは、カバーアートに対して、タップ操作（又はダブルタップ操作）が行われると、そのタップ操作がされたカバーアートのアルバムの再生が開始される。
【００７３】
なお、カバーアート（のデータ）は、アルバムのメタデータとして、ハードディスク１０５に記録されている。
【００７４】
ペイン２１２では、例えば、再生中の曲（アルバム）のカバーアートや、曲名、アーティスト名が表示される。
【００７５】
また、ペイン２１２では、例えば、再生中の曲の先頭や、次の曲の先頭にスキップするときに操作（タッチ）される操作ボタンや、曲の再生を一時停止するときに操作される操作ボタンが表示される。
【００７６】
さらに、ペイン２１２では、シークバーが表示される。シークバーは、再生中の曲全体を表すバーと、その再生中の曲の現在の再生位置を表すスライダとから構成され、スライダは、再生位置に応じて、バー上を移動する。
【００７７】
また、スライダは、ドラッグ操作によって、バー上を移動させることができ、このように、スライダをドラッグ操作することによって、再生位置を変更することができる。
【００７８】
なお、シークバー（に近接する位置）には、再生中の曲の全体の再生時間と、その曲の先頭を基準(0)とする再生位置の時刻である再生時刻とが表示される。
【００７９】
ペイン２１３では、メニューが表示される。
【００８０】
管理アプリケーションでは、ペイン２１３については、拡大表示と縮小表示とが可能になっており、ペイン２１３の拡大表示と縮小表示とは、必要に応じて切り替えられる。
【００８１】
図４では、ペイン２１３が、ペイン２１１でのカバーアートの表示の妨げになることを最小限に抑えるために、ペイン２１３は縮小表示されている。
【００８２】
図５は、ペイン２１３が拡大表示されているときの初期画面の表示例を示す図である。
【００８３】
例えば、縮小表示されているペイン２１３にタッチがされると、ユーザが操作しやすいように、管理アプリケーションでは、ペイン２１３の表示が、縮小表示から拡大表示に切り替えられる。
【００８４】
拡大表示のペイン２１３では、メニューの項目を表すアイコンと項目名（図５の"Coverart View"等）とが表示される。
【００８５】
ここで、ペイン２１３に表示されるメニューの項目は、階層化されている。図５において、例えば、項目（名）"Coverart View"は、最上位階層の項目であり、その下に表示されている項目"Albums"及び"Artists"は、項目"Coverart View"の下の階層の項目である。
【００８６】
また、項目"Coverart View"は、ハードディスク１０５に記録されている曲についての表示（ビュー）として、図４及び図５に示したように、ペイン２１１において、カバーアートを、バラバラに、２次元平面上に配置した画面を表示するビューを選択するための項目であり、管理アプリケーションでは、起動時に、項目"Coverart View"のビューが選択される。
【００８７】
したがって、図４（及び図５）の管理アプリケーションが起動されたときの画面である初期画面は、項目"Coverart View"のビュー（以下、カバーアートビューともいう）である。
【００８８】
項目"Coverart View"の下の階層の項目"Albums"及び"Artists"は、カバーアートビューで表示されるカバーアートのソートを行うソートキーを選択するための項目である。
【００８９】
すなわち、項目"Coverart View"の下の階層の項目"Albums"がタッチされると、管理アプリケーションでは、アルバム名をソートキーとして、そのソートキーに従って、アルバムがソートされる。
【００９０】
そして、管理アプリケーションでは、アルバム名をソートキーとするソートのソート順位に対応する、仮想平面のy方向の位置に、カバーアートが配置され、これにより、ペイン２１１では、y方向（縦方向）については、カバーアートが、アルバム名順に表示される。
【００９１】
また、項目"Coverart View"の下の階層の項目"Artists"がタッチされると、管理アプリケーションでは、アーティスト名をソートキーとして、そのソートキーに従って、アルバムがソートされる。
【００９２】
そして、管理アプリケーションでは、アーティスト名をソートキーとするソートのソート順位に対応する、仮想平面のy方向の位置に、カバーアートが配置され、これにより、ペイン２１１では、y方向については、カバーアートが、アーティスト名順に表示される。
【００９３】
なお、仮想平面に配置するカバーアートのx方向の位置は、ランダムな位置や、アルバム名及びアーティスト名以外をソートキーとするソートのソート順位に対応する位置等を採用することができる。
【００９４】
また、カバーアートが配置される仮想平面上の配置位置（座標）は、ソート順位に対応する位置から、微小な距離だけ、ランダムにずらすことができる。さらに、仮想平面上には、カバーアートを、ランダムな角度だけ回転して配置することができる。このようにすることで、ペイン２１１において、アルバムのCDが、無造作に、テーブルにばらまかれたかのような、カバーアートの表示を行うことができる。
【００９５】
ペイン２１３（のメニュー）に対する操作がされない状態が、所定時間だけ続くと、管理アプリケーションでは、ペイン２１３の表示は、図５の拡大表示から、図４の縮小表示に戻される。
【００９６】
そして、縮小表示のペイン２１３では、表示スペースの節約のため、図４に示したように、メニューの最上位階層の項目のアイコンだけが表示される。
【００９７】
ペイン２１３に表示されるメニューの最上位階層の項目は、図５に示したように、項目"Coverart View"の他、項目"Library"等がある。
【００９８】
項目"Library"は、ハードディスク１０５に記録されている曲（アルバム）についての表示（ビュー）として、ペイン２１１において、曲（アルバム）の情報を一覧形式で表示するビュー（画面）を選択するための項目である。
【００９９】
図６及び図７は、ペイン２１３に表示された項目"Library"がタップ操作されたときに表示される、曲の情報を一覧形式で表示するビュー（以下、ライブラリビューともいう）の表示例を示す図である。
【０１００】
項目"Library"がタップ操作されると、ペイン２１３では、その項目"Library"の項目名の下に、項目"Library"の下の階層の項目"All Songs"，"Albums"、及び、"Artists"（のアイコンと項目名）が表示される。
【０１０１】
ライブラリビューでは、ペイン２１１において、アルバム（の曲）に関する情報が、リスト（表）形式、又は、グリッド（格子状）形式で表示される。
【０１０２】
ライブラリビューにおいて、リスト形式の表示と、グリッド形式の表示とは、切り替えることができ、そのため、ペイン２１２では、カバーアートビュー（図４、図５）と同様の表示が行われる他、リストボタン、及び、グリッドボタンが表示される。
【０１０３】
図６及び図７において、リストボタン、及び、グリッドボタンは、シークバーの下側に表示されている。
【０１０４】
ライブラリビューでは、リストボタンがタップ操作されると、ペイン２１１の表示が、リスト形式に切り替えられ、グリッドボタンがタップ操作されると、ペイン２１１の表示が、グリッド形式に切り替えられる。
【０１０５】
図６は、ペイン２１１の表示がリスト形式のライブラリビューの表示例を示している。
【０１０６】
リスト形式のライブラリビューでは、ペイン２１１において、アルバムのカバーアート、アルバム名(Album Name)、アーティスト名(Artist Name)、及び、アルバムのトラック数（曲数）等を、１つの表示単位として、その表示単位が、リスト形式で表示される。
【０１０７】
図７は、ペイン２１１の表示がグリッド形式のライブラリビューの表示例を示している。
【０１０８】
グリッド形式のライブラリビューでは、ペイン２１１において、例えば、アルバムのカバーアートと、その下に表示されるアルバム名、及び、アーティスト名とを、１つの表示単位として、その表示単位が、グリッド形式で表示される。
【０１０９】
なお、ライブラリビューでは、カバーアートビューと同様に、表示単位が、タップ操作されると、管理アプリケーションにおいて、タップ操作がされた表示単位に対応するアルバムの再生が開始される。
【０１１０】
さらに、ライブラリビューでは、カバーアートビューと同様に、ハードディスク１０５に記録されているアルバムすべてについて、表示単位を、ペイン２１１に表示しきれない場合には、ペイン２１１は、フリック操作をすることで、縦スクロールすることが可能なように表示される。
【０１１１】
また、図６及び図７のライブラリビューでは、項目"Library"の下の階層の項目"Albums"が選択（タッチ）されており、これにより、管理アプリケーションでは、図５で説明した項目"Coverart View"の下の階層の項目"Albums"がタッチされた場合と同様に、アルバム名をソートキーとして、そのソートキーに従って、表示単位がソートされ、ペイン２１１において、アルバム名順に表示されている。
【０１１２】
［コンテンツ管理装置の構成例］
【０１１３】
図３のタブレット端末は、CPU１０２が、管理アプリケーション（のプログラム）を実行することにより、コンテンツとしてのアルバム（曲）を管理するコンテンツ管理装置として機能する。
【０１１４】
図８は、そのようなコンテンツ管理装置の機能的な構成例を示すブロック図である。
【０１１５】
なお、図８において、図３の場合と対応する部分については、同一の符号を付してある。
【０１１６】
コンテンツ管理装置は、タッチスクリーン１０１、出力部１０６、制御部３１１、コンテンツ記憶部３１２、表示制御部３１３、及び、再生制御部３１４を有する。
【０１１７】
制御部３１１には、タッチスクリーン１０１から、そのタッチスクリーン１０１に対する操作入力が供給される。
【０１１８】
制御部３１１は、タッチスクリーン１０１に対する操作入力等に応じて、コンテンツ管理装置を構成する表示制御部３１３や再生制御部３１４等の各ブロックを制御する。
【０１１９】
コンテンツ記憶部３１２は、コンテンツとしてのアルバム（の曲のデータ）や、アルバムのメタデータ等を記憶している。
【０１２０】
ここで、アルバムのメタデータには、アルバムのアルバム名や、アーティスト名、発売日（アルバムがリリースされた年月日）、アルバムを表すシンボルとなるシンボル画像としてのカバーアート（の縮小画像）等が含まれる。
【０１２１】
表示制御部３１３には、タッチスクリーン１０１から、そのタッチスクリーン１０１に対する操作入力が供給される。
【０１２２】
表示制御部３１３は、制御部３１１からの制御や、タッチスクリーン１０１に対する操作入力等に応じて、コンテンツ記憶部３１２に記憶されたアルバムの情報等を、タッチスクリーン１０１に表示させる表示制御を行う。
【０１２３】
再生制御部３１４は、制御部３１１からの制御に応じて、コンテンツ記憶部３１２に記憶されたアルバム（の曲）を、出力部１０６のスピーカ等から出力する再生制御を行う。
【０１２４】
以上のように構成されるコンテンツ管理装置では、表示制御部３１３が、タッチスクリーン１０１に対する操作入力に応じて、図４ないし図７で説明したカバーアートビューやライブラリビューを、タッチスクリーン１０１に表示する。
【０１２５】
ところで、図８のコンテンツ管理装置では、制御部３１１において、タッチスクリーン１０１に表示されたカバーアートビューやライブラリビューから、ユーザが選択したアルバム（やシングル）を登録したプレイリストを作成し、再生制御部３１４に、そのプレイリストに登録されたアルバム（の曲）を順番に再生させることができる。
【０１２６】
コンテンツ管理装置において、プレイリストの作成にあたっては、プレイリストに登録するアルバムを、１つずつ、ユーザに選択してもらうことができるが、プレイリストに登録するアルバムを、ユーザが１つずつ選択するのは、面倒である。
【０１２７】
そこで、コンテンツ管理装置では、プレイリストを作成する作成モードとして、プレイリストに登録するアルバムを、１つずつ選択するモードの他に、簡易な操作で、プレイリストを作成する簡易モードが設けられている。
【０１２８】
簡易モードでは、カバーアートビュー（図４、図５）が表示される。
【０１２９】
図９は、簡易モードのカバーアートビューのペイン２１１の表示例を示す図である。
【０１３０】
カバーアートビューでは、図４及び図５で説明したように、カバーアートが、仮想平面（２次元平面）に、バラバラに配置され、その仮想平面のうちの、ペイン２１１と同一サイズの表示領域が、ペイン２１１に表示される。
【０１３１】
ここで、カバーアートが、２次元平面としての仮想平面に、バラバラに配置された状態の、その仮想平面のうちの、ペイン２１１に表示される表示領域を、ファジービュー画面ともいう。
【０１３２】
簡易モードでは、ファジービュー画面が、ペイン２１１に表示される他、ファジービュー画面（ひいては、２次元平面としての仮想平面）の所定の一軸としての、例えば、y軸に直交する方向であるx方向を、幅方向とする帯状の領域であるカーペット領域が、ファジービュー画面上に表示される。
【０１３３】
そして、簡易モードでは、カバーアート（の全部、又は、一部）がカーペット領域に含まれるアルバム（の曲）が、所定の処理としての再生処理の処理対象として、プレイリストに登録される。
【０１３４】
プレイリストへのアルバムの登録は、例えば、ファジービュー画面のy方向である上から下方向を再生順として行われる。
【０１３５】
したがって、この場合、簡易モードで作成されたプレイリストによれば、カーペット領域に含まれるカバーアートが、より上にあるアルバム（の曲）から順に再生される。
【０１３６】
なお、ファジービュー画面において、カーペット領域に含まれるカバーアートは、再生対象であることをユーザが認識しやすいように、輝度を明るくする等の、カーペット領域に含まれないカバーアートと異なる表示形式で表示することができる。
【０１３７】
また、カーペット領域に含まれるカバーアートのうちの、再生中のアルバムのカバーアートは、再生中であることをユーザが認識しやすいように、点滅させる等の、他のカバーアートと異なる表示形式で表示することができる。
【０１３８】
仮想画面（ひいては、ファジービュー画面）上のカバーアート（の配置位置）は、所定のソートキーに従ってソートすることができる。
【０１３９】
また、仮想画面上のカバーアートのソートは、x方向とy方向とのそれぞれについて行うことができる。
【０１４０】
ここで、x方向についてのソートを、横ソートともいい、横ソートを行うときのソートキーを、横ソートキー（第１のソートキー）ともいう。また、y方向についてのソートを、縦ソートともいい、縦ソートを行うときのソートキーを、縦ソートキー（第２のソートキー）ともいう。
【０１４１】
縦ソートキーとしては、例えば、図５で説明したように、アルバム名やアーティスト名等の、ユーザが所望のアルバムを探すのに便利な項目等を採用することができる。
【０１４２】
横ソートキーとしては、例えば、ユーザがアルバム（の曲）を聴いた回数（再生の回数）や、ユーザがアルバムを最後に聴いた日時（アルバムが最後に再生された日時）、アルバムの発売日、サイト上で公開されているアルバムの評価等の、範囲で絞り込むことができる項目等を採用することができる。
【０１４３】
但し、縦ソートキーや横ソートキーは、上述した項目に限定されるものではない。すなわち、縦ソートキーや横ソートキーとしては、その他、曲のテンポその他の曲調等を解析して採用することができる。
【０１４４】
簡易モードでは、例えば、ユーザの操作に応じて、あらかじめ設定された縦ソートキー及び横ソートキーにそれぞれしたがって、アルバムのソートが行われ、縦ソートキーによるソートのソート順位と、横ソートキーによるソートのソート順位との組み合わせに対応する仮想平面上の位置に、カバーアートが配置される。
【０１４５】
すなわち、カバーアートは、縦ソートキーによるソートのソート順位に対応する値のy座標と、横ソートキーによるソートのソート順位に対応する値のx座標とで定まる仮想平面上の位置に配置される。
【０１４６】
なお、図５で説明したように、カバーアートが配置される仮想平面上の配置位置は、ソート順位に対応する位置から、微小な距離だけ、ランダムにずらすことができる。さらに、仮想平面上には、カバーアートを、ランダムな角度だけ回転して配置することができる。このようにすることで、ファジービュー画面を、アルバムのCDが、無造作に、テーブルにばらまかれたかのような画像とすることができる。
【０１４７】
カーペット領域を含むファジービュー画面は、タッチスクリーン１０１に表示され、タッチスクリーン１０１に表示されたカーペット領域については、そのカーペット領域に対する操作であるカーペット操作の操作入力を、タッチスクリーン１０１に与えることによって、カーペット領域の幅や、y軸と直交するx方向の位置を変更することができる。
【０１４８】
すなわち、タッチスクリーン１０１に表示されたカーペット領域については、例えば、ピンチ操作を行うことにより、カーペット領域の幅（x方向の長さ）を変更することができる。
【０１４９】
さらに、タッチスクリーン１０１に表示されたカーペット領域については、例えば、ドラッグ操作を行うことにより、カーペット領域のx方向の位置をずらす（変更する）ことができる。
【０１５０】
カーペット領域の幅や、x方向の位置が変更されることにより、カーペット領域に含まれるカバーアートが変化すると、その、カーペット領域に含まれるカバーアートの変化に伴い、プレイリストが作成し直される。
【０１５１】
すなわち、カーペット領域の幅や、x方向の位置が変更されることにより、カーペット領域に新たに含まれることとなったカバーアートのアルバムが、プレイリストに新たに追加されるとともに、カーペット領域に含まれない（カーペット領域から外れる）こととなったカバーアートのアルバムが、プレイリストから削除される。
【０１５２】
また、ファジービュー画面に表示されたカバーアートについては、カバーアートに対する操作であるカバーアート操作（シンボル画像操作）の操作入力を、タッチスクリーン１０１に与えることによって、カバーアート（の配置位置）を移動させることができる。
【０１５３】
すなわち、タッチスクリーン１０１に表示されたカバーアートは、例えば、フリック操作やドラッグ操作を行うことにより、移動することができる。
【０１５４】
カバーアートが移動されることにより、カーペット領域に含まれるカバーアートが変化すると、その、カーペット領域に含まれるカバーアートの変化に伴い、プレイリストが作成し直される。
【０１５５】
すなわち、カバーアートが移動されることにより、移動前は、カーペット領域に含まれていなかったカバーアートが、移動後に、カーペット領域に新たに含まれることとなった場合には、そのカバーアートのアルバムが、プレイリストに新たに追加される。
【０１５６】
一方、カバーアートが移動されることにより、移動前は、カーペット領域に含まれていたカバーアートが、移動後に、カーペット領域に含まれないこととなった場合には、そのカバーアートのアルバムが、プレイリストから削除される。
【０１５７】
カーペット領域に対するカーペット操作や、カバーアートに対するカバーアート操作は、プレイリストに登録された曲の再生中であっても行うことができ、再生中のアルバムのカバーアートが、カーペット操作やカバーアート操作によって、カーペット領域に含まれないこととなった場合には、カバーアートがカーペット領域に含まれないこととなったアルバムの再生が中止され、例えば、プレイリストにおいて、次の再生順のアルバムの再生が開始される。
【０１５８】
したがって、ユーザは、アルバム（の曲）を聴きながら、そのアルバムを、プレイリストに登録するかどうかのアルバムの分類を行うことができる。
【０１５９】
なお、カーペット領域に含まれるカバーアートは、その他、ペイン２１１の縦スクロールによっても変化させることができる。
【０１６０】
以上のように、簡易モードでは、カバーアートがカーペット領域に含まれるアルバムは、プレイリストに登録され、プレイリストに登録されたアルバムは、ファジービュー画面において、カバーアートがy軸の方向に並ぶ順に、再生処理の処理対象（再生対象）に選択される。
【０１６１】
したがって、ユーザは、ファジービュー画面において、カバーアートがカーペット領域に含まれているかどうかの見た目によって、容易に、多数のアルバムの中から、再生対象とする所望のアルバムを分類することができ、さらに、そのような所望のアルバムが登録されたプレイリストを、容易に作成することができる。
【０１６２】
また、ファジービュー画面では、カバーアートが表示されるので、ユーザは、そのカバーアートを見ることによって、アルバム（の曲）が、所望の曲（作成しようとしているプレイリストのイメージにマッチした曲）であるのかどうかを、容易に判断することができる。
【０１６３】
さらに、プレイリストへのアルバムの追加や、プレイリストからのアルバムの削除を、カーペット領域に対するカーペット操作としてのピンチ操作やドラッグ操作、あるいは、カバーアートに対するカバーアート操作としてのフリック操作やドラッグ操作等の１ステップの直感的な操作によって、容易に行うことができる。
【０１６４】
その結果、ユーザが作成しようとしているプレイリストのイメージにマッチするアルバムを、プレイリストに追加し、あるいは、イメージにマッチしないアルバムを、プレイリストから削除するといった、プレイリストに登録するアルバムの微調整を、容易に行うことができる。
【０１６５】
なお、カバーアートがカーペット領域に含まれるアルバムの再生順としては、カバーアートがy軸の方向に並ぶ順（y座標の小さい順）を採用する他、ランダムな順番等を採用することができる。
【０１６６】
［簡易モードの処理］
【０１６７】
図１０は、図８のコンテンツ管理装置が行う簡易モードの処理を説明するフローチャートである。
【０１６８】
ステップＳ１１において、表示制御部３１３は、カバーアートを、仮想平面（２次元平面）に配置することによって得られるファジービュー画面を生成し、そのファジービュー画面がペイン２１１に表示されたカバーアートビュー（図４、図５）を、タッチスクリーン１０１に表示して、処理は、ステップＳ１２に進む。
【０１６９】
ここで、コンテンツ管理装置において、過去に、ファジービュー画面が表示されたことがある場合には、ステップＳ１１では、直前に表示されていたファジービュー画面が生成される。
【０１７０】
したがって、ユーザが、過去に、カバーアート操作によって、カバーアートを移動した場合には、ファジービュー画面において、カバーアートは、移動後の位置に表示される。
【０１７１】
一方、コンテンツ管理装置において、過去に、ファジービュー画面が表示されたことがない場合、又は、デフォルトのファジービュー画面を表示するように、タッチスクリーン１０１に対する操作入力があった場合、ステップＳ１１では、あらかじめ設定されたデフォルトの縦ソートキー及び横ソートキーにそれぞれしたがって、コンテンツ記憶部３１２に記憶されたアルバムのソートが行われ、縦ソートキーによるソートのソート順位と、横ソートキーによるソートのソート順位との組み合わせに対応する仮想平面上の位置に、カバーアートが配置されたファジービュー画面が生成される。
【０１７２】
ステップＳ１２では、表示制御部３１３が、タッチスクリーン１０１上のファジービュー画面上に、y軸に直交するx方向を幅方向とするカーペット領域を表示して、処理は、ステップＳ１３に進む。
【０１７３】
ここで、コンテンツ管理装置において、過去に、カーペット領域が表示されたことがある場合には、ステップＳ１２では、直前に表示されていたカーペット領域が、幅と位置を変えずに表示される。
【０１７４】
したがって、ユーザが、過去に、カーペット操作によって、カーペット領域の幅や位置を変更した場合には、その変更後のカーペット領域が表示される。
【０１７５】
一方、コンテンツ管理装置において、過去に、カーペット領域が表示されたことがない場合、又は、カーペット領域をリセットするように、タッチスクリーン１０１に対する操作入力があった場合、ステップＳ１２では、あらかじめ設定されたデフォルトの位置（例えば、ファジービュー画面の中央）に、デフォルトの幅のカーペット領域が表示される。
【０１７６】
ステップＳ１３では、制御部３１１は、コンテンツ記憶部３１２に記憶されたアルバムのうちの、カバーアートがカーペット領域に含まれるアルバムを、再生対象として選択し、その再生対象のアルバムのカバーアートがy方向に並ぶ順番が、アルバムの再生順となるように、プレイリストに登録する。
【０１７７】
その後、処理は、ステップＳ１３からステップＳ１４に進み、制御部３１１は、タッチスクリーン１０１に対して、プレイリストの再生を要求する再生操作がユーザによって行われたかどうかを判定する。
【０１７８】
ステップＳ１４において、再生操作が行われていないと判定された場合、処理は、ステップＳ１５をスキップして、ステップＳ１６に進む。
【０１７９】
また、ステップＳ１４において、再生操作が行われたと判定された場合、処理は、ステップＳ１５に進み、制御部３１１は、プレイリストに従ったアルバムの再生を行うように、再生制御部３１４を制御する。
【０１８０】
これにより、ステップＳ１５では、再生制御部３１４は、プレイリストに従って、コンテンツ記憶部３１２に記憶されたアルバム（の曲）の再生を開始する。
【０１８１】
ここで、いま、プレイリストにおいて、アルバムが、再生順に登録されていることとすると、再生制御部３１４は、例えば、プレイリストの先頭に登録されているアルバム、又は、ユーザによって、カーペット領域に含まれているカバーアートがタップされた場合には、そのタップされたカバーアートのアルバム等から、再生を開始し、以下、プレイリストに登録されている順番で、アルバムの再生を行う。
【０１８２】
なお、プレイリストに従ったアルバムの再生は、ユーザによる再生操作を待たずに開始することができる。
【０１８３】
また、プレイリストに従ったアルバムの再生は、アルバムの全曲の再生を行った後、次のアルバム（の全曲）の再生を開始してもよいし、アルバムの任意の一曲以上だけの再生を行った後、次のアルバムの再生を開始してもよい。
【０１８４】
ステップＳ１６では、制御部３１１は、タッチスクリーン１０１に対するカーペット操作、又は、カバーアート操作がユーザによって行われたかどうかを判定する。
【０１８５】
ステップＳ１６において、カーペット操作、及び、カバーアート操作のいずれも行われていないと判定された場合、処理は、ステップＳ１７をスキップして、ステップＳ１８に進む。
【０１８６】
また、ステップＳ１６において、カーペット操作、又は、カバーアート操作が行われたと判定された場合、制御部３１１は、そのカーペット操作、又は、カバーアート操作に応じて、タッチスクリーン１０１の表示を変更するように、表示制御部３１３を制御して、処理は、ステップＳ１７に進む。
【０１８７】
表示制御部３１３は、制御部３１１の制御に従い、ユーザによるカーペット操作、又は、カバーアート操作に応じて、カーペット領域の幅、若しくは、位置を変更し、又は、カバーアートを移動させる。
【０１８８】
ステップＳ１７では、制御部３１１は、カーペット領域の幅、若しくは、位置の変更、又は、カバーアートの移動によって、カーペット領域に、新たに含まれることとなったカバーアートがある場合には、そのカバーアートのアルバムを、プレイリストに登録（追加）する。
【０１８９】
さらに、ステップＳ１７では、制御部３１１は、カーペット領域の幅、若しくは、位置の変更、又は、カバーアートの移動によって、カーペット領域に含まれない（カーペット領域から外れる）こととなったカバーアートがある場合には、そのカバーアートのアルバムを、プレイリストから削除し、処理は、ステップＳ１８に進む。
【０１９０】
ここで、ステップＳ１７において、プレイリストから削除されたアルバムが、再生中のアルバムである場合には、制御部３１１は、そのアルバムの再生を停止し、プレイリストの次のアルバム（再生が停止されたアルバムの次に再生される再生順のアルバム）の再生を開始するように、再生制御部３１４を制御する。
【０１９１】
また、ステップＳ１７において、プレイリストへのアルバムの追加は、そのアルバムの再生順が、そのアルバムのカバーアートのy方向の位置に対応した順番になるように行われる。
【０１９２】
ステップＳ１８では、制御部３１１は、タッチスクリーン１０１に対して、縦ソートキーや横ソートキーを指定するソート操作がユーザによって行われたかどうかを判定する。
【０１９３】
ステップＳ１８において、ソート操作が行われていないと判定された場合、処理は、ステップＳ１４に戻り、以下、同様の処理が繰り返される。
【０１９４】
また、ステップＳ１８において、ソート操作が行われたと判定された場合、処理は、ステップＳ１９に進み、表示制御部３１３は、ソート操作によって指定された縦ソートキーや横ソートキーにしたがって、コンテンツ記憶部３１２に記憶されたアルバムのソートを行い、縦ソートキーによるソートのソート順位と、横ソートキーによるソートのソート順位との組み合わせに対応する仮想平面上の位置に、カバーアートが配置されたファジービュー画面を生成する。
【０１９５】
そして、表示制御部３１３は、そのファジービュー画面を、カバーアートビュー（図４、図５）のペイン２１１に表示して、処理は、ステップＳ１２に戻り、以下、同様の処理が繰り返される。
【０１９６】
以上のように、コンテンツ管理装置では、縦ソートキーや横ソートキーにしたがって、コンテンツ記憶部３１２に記憶されたアルバムのソートを行い、縦ソートキーによるソートのソート順位と、横ソートキーによるソートのソート順位との組み合わせに対応する仮想平面上の位置に、カバーアートが配置されたファジービュー画面が生成されて表示される。
【０１９７】
さらに、ファジービュー画面上に、x方向を幅方向とする帯状のカーペット領域が表示され、そのカーペット領域にカバーアートが含まれるアルバムが、プレイリストに登録される。
【０１９８】
また、ユーザの操作に応じて、カーペット領域の幅や位置を変更することや、カバーアートを移動することができる。
【０１９９】
したがって、コンテンツ管理装置では、縦ソートキーや横ソートキーによるソートによって、コンテンツ記憶部３１２に記憶されたアルバムが、所望のアルバムを探しやすいように、ある程度分類されるので、ユーザは、その後は、カーペット領域の幅や位置の変更や、カバーアートの移動等の簡単な操作を行うだけで、コンテンツ記憶部３１２に記憶されたアルバムの中から、プレイリストに登録するコンテンツを分類することを、容易に行うことができる。
【０２００】
また、縦ソートキーや横ソートキーは、ユーザが指定することができ、したがって、ユーザは、適切な縦ソートキーや横ソートキーを指定することで、例えば、実際のアルバムとしてのCDの中から、所望のアルバムを探し出す場合よりも、迅速に、所望のアルバムを探し出すことができる。
【０２０１】
以上のようなコンテンツ管理装置は、例えば、ユーザが、気分や時間帯によって流すBGM(Back Ground Music)を変更したい場合に、そのBGMのプレイリストを、手軽に作成したいとき等に有用である。
【０２０２】
なお、前述した従来のチャンネルタイプのアプリケーション（曲を管理するアプリケーション）では、例えば、ユーザは、２次元のグラフ上で、曲調等のパラメータを指定することができ、そのパラメータに応じて、曲が、チャンネルと呼ばれるグループに分類される。
【０２０３】
そして、チャンネルタイプのアプリケーションでは、各チャンネルを表すアイコンが表示されるが、アイコンを見ただけでは、ユーザがパラメータを指定するときにイメージした通りの曲が、そのアイコンが表すチャンネルに分類されているかどうかを確認することが困難である。
【０２０４】
これに対して、本技術では、カバーアートが、カーペット領域に含まれているかどうかによって、そのカバーアートが表すアルバムが、プレイリストに登録されている（再生対象に選択されている）かどうかを、容易に、確認することができる。
【０２０５】
以上、本技術を、コンテンツとして、アルバム（曲）を採用した場合について説明したが、コンテンツとしては、その他、動画や、静止画、電子ブック等を採用することができる。
【０２０６】
コンテンツとして、動画を採用する場合、動画を表すシンボルとなるシンボル画像としては、その動画の１シーンの静止画の縮小画像や、その動画が記録されたブルーレイディスク等の記録媒体のパッケージの画像の縮小画像等を採用することができる。
【０２０７】
コンテンツとして、静止画を採用する場合、静止画を表すシンボルとなるシンボル画像としては、その静止画の縮小画像等を採用することができる。また、静止画については、ソートキーとして、例えば、静止画の撮影日時や、静止画に写っている被写体の笑っている度合い（笑顔度）等を採用することができる。さらに、静止画については、シンボル画像がカーペット領域に含まれる静止画を、例えば、スライドショーの対象とすることができる。また、静止画については、タブレット端末が、例えば、図２に示したように、２つのタッチスクリーン１０１を有する場合には、その２つのタッチスクリーン１０１のうちの一方に、図９に示したようなファジービュー画面（を含むカバーアートビュー）を表示し、他方に、シンボル画像がカーペット領域に含まれる静止画のスライドショーを表示することができる。
【０２０８】
コンテンツとして、電子ブックを採用する場合、電子ブックを表すシンボルとなるシンボル画像としては、その電子ブックの表紙の縮小画像等を採用することができる。また、電子ブックについては、シンボル画像がカーペット領域に含まれる電子ブックを、例えば、合成音による読み上げの対象とすることができる。
【０２０９】
ここで、本明細書において、コンピュータ（CPU１０２）がプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０２１０】
また、プログラムは、１のコンピュータ（プロセッサ）により処理されるものであっても良いし、複数のコンピュータによって分散処理されるものであっても良い。さらに、プログラムは、遠方のコンピュータに転送されて実行されるものであっても良い。
【０２１１】
なお、本技術の実施の形態は、上述した実施の形態に限定されるものではなく、本技術の要旨を逸脱しない範囲において種々の変更が可能である。
【０２１２】
すなわち、本技術は、タブレット端末、つまり、タッチスクリーンを有する端末への適用に限定されるものではない。本技術は、タブレット端末の他、タッチスクリーンを有しない携帯端末や、デスクトップ型のPC(Personal Computer)、ノートPC、TV（テレビジョン受像機）その他の、画像の表示制御が可能な装置に適用可能である。
【０２１３】
また、本技術は、以下のような構成をとることができる。
【０２１４】
［１］
コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御部を備え、
前記シンボル画像が前記カーペット領域に含まれるコンテンツは、所定の処理の処理対象とされる
情報処理装置。
［２］
前記表示制御部は、
前記コンテンツを、第１のソートキーに従ってソートするとともに、第２のソートキーに従ってソートし、
前記コンテンツの、前記第１のソートキーによるソートのソート順位と、前記第２のソートキーによるソートのソート順位との組み合わせに対応する前記２次元平面上の位置に、前記コンテンツのシンボル画像を配置する
［１］に記載の情報処理装置。
［３］
前記シンボル画像が前記カーペット領域に含まれるコンテンツは、前記シンボル画像が前記所定の一軸の方向に並ぶ順に、再生対象とされる
［１］又は［２］に記載の情報処理装置。
［４］
前記シンボル画像が前記カーペット領域に含まれるコンテンツを、再生対象として選択する制御部をさらに備える
［１］ないし［３］のいずれかに記載の情報処理装置。
［５］
前記表示制御部は、前記カーペット領域に対する操作であるカーペット操作に従って、前記カーペット領域の幅、又は、前記所定の一軸と直交する方向の位置を変更する
［１］ないし［４］のいずれかに記載の情報処理装置。
［６］
前記表示制御部は、前記シンボル画像を移動させる操作であるシンボル画像操作に従って、前記シンボル画像を移動させる
［１］ないし［５］のいずれかに記載の情報処理装置。
［７］
前記表示制御部は、前記シンボル画像、及び、前記カーペット領域を、タッチスクリーンに表示する
［１］ないし［６］のいずれかに記載の情報処理装置。
［８］
コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御ステップを含み、
前記シンボル画像が前記カーペット領域に含まれるコンテンツは、所定の処理の処理対象とされる
情報処理方法。
［９］
コンテンツを表すシンボルとなるシンボル画像を、２次元平面上に配置した画面を表示するとともに、前記２次元平面の所定の一軸と直交する方向を幅方向とする帯状の領域であるカーペット領域を表示する表示制御を行う表示制御部を備え、
前記シンボル画像が前記カーペット領域に含まれるコンテンツは、所定の処理の処理対象とされる
情報処理装置として、コンピュータを機能させるためのプログラム。
【符号の説明】
【０２１５】
１０１  タッチスクリーン，  １０１Ａ  表示部，  １０１Ｂ  位置検出部，  １０２  CPU，  １０３  ROM，  １０４  RAM，  １０５  ハードディスク，  １０６  出力部，  １０７  入力部，  １０８  通信部，  １０９  ドライブ，  １１０  入出力インタフェース，  １１１  リムーバブル記録媒体，  ２０１  ウインドウ，  ２１１ないし２１３  ペイン，  ３１１  制御部，  ３１２  コンテンツ記憶部，  ３１３  表示制御部，  ３１４  再生制御部
【図１】
2012226617.tif 000003
【図２】
2012226617.tif 000004
【図３】
2012226617.tif 000005
【図４】
2012226617.tif 000006
【図５】
2012226617.tif 000007
【図６】
2012226617.tif 000008
【図７】
2012226617.tif 000009
【図８】
2012226617.tif 000010
【図９】
2012226617.tif 000011
【図１０】
2012226617.tif 000012